(57)【要約】【課題】紅茶等をティーバックを使用せずにおいしく飲めるようにし、テークアウトサービスも可能なティーサーバセットを提供する。【解決手段】ティーサーバ容器１０と、このティーサーバ容器１０の開口１６を塞ぐフィルタシート１２と、開口１６と比較して十分に小さい透孔１４を有し、この透孔以外の部分で、開口全体を覆い、開口と透孔との間にフィルタシート１２を挟むように、ティーサーバ容器１０に固定されるサーバキャップ１３とを備える。ティーサーバ容器１０の外側に、当該ティーサーバ容器の側面と底面とを包囲するティーカップ１１を挿脱自在に設けてもよい。【選択図】図１
0003130172.tif 000002
【実用新案登録請求の範囲】
【請求項１】
ティーサーバ容器と、
前記ティーサーバ容器の開口を塞ぐフィルタシートと、
前記開口と比較して十分に小さい透孔を有し、この透孔以外の部分で、前記開口全体を覆い、前記開口と前記透孔との間に前記フィルタシートを挟むように、前記ティーサーバ容器に固定されるサーバキャップとを備えたことを特徴とするティーサーバセット。
【請求項２】
請求項１に記載のティーサーバセットにおいて、
前記ティーサーバ容器の外側に、当該ティーサーバ容器の側面と底面とを包囲するティーカップを挿脱自在に設けたことを特徴とするティーサーバセット。
【請求項３】
請求項１または２に記載のティーサーバセットにおいて、
前記サーバキャップの前記透孔と前記フィルタシートとは離間して配置され、前記サーバキャップと前記フィルタシートとの間に空隙が設けられていることを特徴とするティーサーバセット。
【請求項４】
請求項１ないし３のいずれかに記載のティーサーバセットにおいて、
前記フィルタシートは、前記ティーサーバ容器の開口を塞ぎ、かつ、その周辺部が前記ティーサーバ容器と前記サーバキャップの間から前記ティーサーバ容器の外側に引き出されていることを特徴とするティーサーバセット。
【請求項５】
請求項１ないし３のいずれかに記載のティーサーバセットにおいて、
前記フィルタシートは、前記ティーサーバ容器の開口を塞ぐように当該開口に接着固定されて、前記ティーサーバ容器と一体化されていることを特徴とするティーサーバセット。
【請求項６】
請求項１ないし３のいずれかに記載のティーサーバセットにおいて、
前記フィルタシートは、前記サーバキャップのティーサーバ容器の開口を塞ぐ位置に接着固定されて、前記サーバキャップと一体化されていることを特徴とするティーサーバセット。
【考案の詳細な説明】
【技術分野】
【０００１】
本考案は、コーヒーショップやファーストフードショップ等のテークアウトサービスに適するティーサーバセットに関する。
【背景技術】
【０００２】
コーヒーショップやファーストフードショップでは、コーヒーや紅茶等のテークアウトサービスが広く提供されている。テークアウトサービスでは、店内での飲食よりも安全面や衛生面に配慮した容器が利用される（特許文献１参照）。
【特許文献１】実用新案登録３０９９１２６号公報
【考案の開示】
【考案が解決しようとする課題】
【０００３】
既知の従来の技術には、次のような解決すべき課題があった。
コーヒーショップやファーストフードショップでは、コーヒーに比べると、紅茶の利用者は少ない。また、ティーバックを使用した紅茶は、ボットの中で茶葉を一杯に開かせて入れた紅茶に比べてどうしても風味が落ちるという問題もあった。
本考案は、紅茶等をティーバックを使用せずにおいしく飲めるようにし、テークアウトサービスも可能なティーサーバセットを提供することを目的とする。
【課題を解決するための手段】
【０００４】
以下の構成は上記の課題を解決するための手段である。
〈構成１〉
ティーサーバ容器と、上記ティーサーバ容器の開口を塞ぐフィルタシートと、上記開口と比較して十分に小さい透孔を有し、この透孔以外の部分で、上記開口全体を覆い、上記開口と上記透孔との間に上記フィルタシートを挟むように、上記ティーサーバ容器に固定されるサーバキャップとを備えたことを特徴とするティーサーバセット。
【０００５】
ティーサーバ容器とフィルタシートとサーバキャップとを組み合わせて、ティーバックではなく本格的な紅茶等を、テークアウトも可能な簡単な構造のセットで提供できる。また、フィルタシートでティーサーバ容器の開口の全部を塞ぐようにすると、サーバキャップとともに、紅茶等を冷めにくくする効果もある。
【０００６】
〈構成２〉
構成１に記載のティーサーバセットにおいて、上記ティーサーバ容器の外側に、当該ティーサーバ容器の側面と底面とを包囲するティーカップを挿脱自在に設けたことを特徴とするティーサーバセット。
【０００７】
湯を注いだ直後のティーサーバ容器は非常に熱い。これをテーブルまで運んだり、テークアウトで持ち出すときに、十分断熱された容器が欲しい。しかし、ティーサーバ容器の断熱を高めるほどコストが上がる。ティーカップでティーサーバ容器の側面と底面とを包囲して持ち運べば、断熱がよく、手が熱くならない。同時に、紅茶等を飲み始めるまで冷めにくくする効果もある。
【０００８】
〈構成３〉
構成１または２に記載のティーサーバセットにおいて、上記サーバキャップの上記透孔と上記フィルタシートとは離間して配置され、上記サーバキャップと上記フィルタシートとの間に空隙が設けられていることを特徴とするティーサーバセット。
【０００９】
サーバキャップとフィルタシートとの間に空隙が設けられていると、紅茶等は一旦その空隙に流れ込んでから、透孔を通じて注ぎ出される。こうすると、フィルタの一部が茶葉で塞がれても、紅茶等が透孔から出にくくなることがない。
【００１０】
〈構成４〉
構成１ないし３のいずれかに記載のティーサーバセットにおいて、上記フィルタシートは、上記ティーサーバ容器の開口を塞ぎ、かつ、その周辺部が上記ティーサーバ容器と上記サーバキャップの間から上記ティーサーバ容器の外側に引き出されていることを特徴とするティーサーバセット。
【００１１】
フィルタシートがティーサーバ容器とサーバキャップの間からティーサーバ容器の外側に引き出されていると、フィルタシートで完全にティーサーバ容器の開口を覆ったかどうかの確認が容易である。また、ティーカップで覆われていない部分の断熱用にもなる。
【００１２】
〈構成５〉
構成１ないし３のいずれかに記載のティーサーバセットにおいて、上記フィルタシートは、上記ティーサーバ容器の開口を塞ぐように当該開口に接着固定されて、上記ティーサーバ容器と一体化されていることを特徴とするティーサーバセット。
【００１３】
フィルタシートをティーサーバ容器の開口に接着固定すれば、サーバキャップをティーサーバ容器に密着させて蓋ができる。これにより、サーバキャップとティーサーバ容器とを堅固に一体化できる。
【００１４】
〈構成６〉
構成１ないし３のいずれかに記載のティーサーバセットにおいて、上記フィルタシートは、上記サーバキャップのティーサーバ容器の開口を塞ぐ位置に接着固定されて、上記サーバキャップと一体化されていることを特徴とするティーサーバセット。
【００１５】
予めフィルタシートをサーバキャップと一体化しておくと、ティーサーバ容器に湯を注いだ後の組立作業がすみやかにできる。
【考案を実施するための最良の形態】
【００１６】
以下、紅茶を入れるティーサーバキットについて、その実施の形態を実施例に基づいて説明する。なお、本考案のティーサーバキットは、紅茶以外に緑茶やその他様々な茶葉を使用した飲み物を提供する用途に広く利用できる。
【実施例１】
【００１７】
図１は実施例１のティーサーバセットを示す斜視図、図２は同ティーサーバセットを分解した状態の各部品を示す斜視図である。
図において、ティーサーバセットは、ティーサーバ容器１０と、ティーサーバ容器の開口を塞ぐフィルタシート１２と、開口と比較して十分に小さい透孔１４を有し、この透孔１４以外の部分で、開口全体を覆い、開口と透孔との間にフィルタシート１２を挟むように、ティーサーバ容器１０に固定されるサーバキャップ１３と、紅茶を飲む時に使用するティーカップ１１とを備えている。
【００１８】
ティーサーバ容器１０は、紅茶や緑茶等の茶葉と湯を入れるためのもので、図２（ａ）に示すようにカップ状で、上部に円形の開口１６を備える。ティーサーバ容器１０は周囲をエンボス加工した紙やプラスチックなどにより構成される。内部に熱い湯を注いで持つため、断熱性のよい壁構造をしている。なお、ティーサーバ容器１０は、円筒状でも多角筒状でも箱状でも構わない。開口１６は出来上がった紅茶等を注ぎ出すためのもので、ティーサーバ容器１０の上面や側面に設けられる。カップ状ならば上面は開口である。箱状であれば、上面や側面等に適当な大きさの開口を設ける。
【００１９】
ティーカップ１１は、ティーサーバ容器１０に入っている紅茶などを飲むための紙やプラスチック製の容器で、図２（ｂ）に示すようにカップ型をしている。ティーカップ１１の側面中央部には、例えば、紅茶や緑茶等の販売店等を表示したラベル１８が貼り付けられている。
【００２０】
フィルタシート１２は、茶葉２０がティーサーバ容器１０から流れ出さないようにするためのもので、図２（ｃ）に示すように、ティーサーバ容器１０の上面開口を覆う大きさの四辺形の布や不織布などにより構成される。フィルタシート１２は、ティーサーバ容器１０の開口１６の全部または一部を塞ぐ。少なくとも注ぎ出される紅茶等の湯２２の通路上に配置される。
【００２１】
サーバキャップ１３は、図２（ｄ）に示すように、プラスチックを成形加工したもので、ティーサーバ容器１０の開口１６にピッタリとはまり合う構造になっている。その上部には開口１６と比較して十分に小さい透孔１４が設けられている。透孔１４の部分だけ穴開け加工がされており、残りの部分はティーサーバ容器１０を覆うように構成されている。サーバキャップ１３の上部中央部には凹部１３Ａが設けられている。サーバキャップ１３は透孔１４を備え、それ以外の部分は、ティーサーバ容器１０の開口１６全体を覆う構造のものであればよい。紅茶等を閉じこめて紅茶等を冷めにくくするためのものである。
【００２２】
ティーサーバ容器１０の開口にはめ込んだサーバキャップ１３を固定するために粘着テープ１５が両者に跨って貼り付けられる。図２（ｅ）は粘着テープ１５を示しているが、粘着テープ１５の太さや長さは適切なサイズに選定されればよい。サーバキャップ１３とティーサーバ容器１０との固定方法としては、粘着テープ１５を使用する方法以外に、はめ込み、ねじ込み、バンド等による結束、接着剤や粘着剤の利用等の周知で任意の手段が採用できる。また、フィルタシート１２でティーサーバ容器１０の開口１６の全部を塞ぐようにすると、サーバキャップ１３とともに、紅茶等をさらに冷めにくくする効果もある。
【００２３】
ティーサーバ容器１０には紅茶などの茶葉に湯を注いだものが収容されている。そのティーサーバ容器１０の開口１６を塞ぐようにフィルタシート１２が被せられている。こうすればティーサーバ容器１０を傾けて紅茶をティーカップ１１に注ぐ時、茶葉がサーバキャップ１３の透孔１４から飛び出すのを防止できる。
【００２４】
このフィルタシート１２をティーサーバ容器１０の開口の上にピンと張った状態で固定するために、サーバキャップ１３が被せられている。サーバキャップ１３の透孔１４から紅茶などが注ぎ出される。また、ティーサーバ容器１０には後で紅茶を飲む時に使用するティーカップ１１が被せられる。ティーサーバ容器１０を持ち運ぶ際に手に熱が伝わらないようにする効果がある。
【００２５】
図３はティーサーバセットの使用例を示す説明図である。
図３のＳ１からＳ６の順にセット部品を組み立て使用する。まず、Ｓ１においてティーサーバ容器１０に茶葉２０を適量だけ入れる。そして、ポット２１を用いてＳ２でティーサーバ容器１０に湯２２を注ぐ。Ｓ３に示すようにティーサーバ容器１０に茶葉２０や湯２２を収容した状態でその開口をフィルタシート１２で塞ぐ。
【００２６】
そして、Ｓ４に示すようにフィルタシート１２をティーサーバ容器１０に押し付けるようにサーバキャップ１３を被せる。サーバキャップ１３が図のように立体的な形状をしているので、サーバキャップ１３の透孔とフィルタシート１２との間に空隙１７が形成されている。その後この図では図示していないが粘着テープ１５などでサーバキャップ１３とティーサーバ容器１０とを固定する。さらに、ティーサーバ容器１０の底の部分をティーカップ１１にはめ込んでＳ５に示すような状態にする。
【００２７】
この状態で紅茶などを注文した顧客に差し出す。ティーカップ１１とティーサーバ容器１０とが二重構造になりティーサーバ容器１０の外周面も断熱構造になっているため、ティーカップ１１の外側を手で持っても湯２２の熱さが伝わらない。また、断熱性がよいので、湯２２が冷めにくい。こうして紅茶を飲む場所までこのティーサーバセットを持ち運ぶことができる。
【００２８】
紅茶を飲む時は、ティーカップ１１をティーサーバ容器１０からはずす。そして、ティーサーバ容器１０の透孔１４が設けられた部分を下にして傾け、湯２２をティーカップ１１に注ぐ。こうして湯２２の中で茶葉２０が充分に葉を広げ味のよい紅茶が抽出されて提供される。
【００２９】
なお、これらの図に示すようにフィルタシート１２を用いたことにより、茶葉２０がティーカップ１１に注ぎこまれるのを阻止している。さらに、サーバキャップ１３とフィルタシート１２との間に空隙が存在するので次のような効果が得られる。
【００３０】
図４は、図３のＳ６の状態を拡大して具体的に示す説明図である。
この図に示すようにティーサーバ容器１０をティーカップの方に傾けた時、湯２２がサーバキャップ１３の透孔１４からティーカップに注ぎこまれる。この時茶葉２０は、フィルタシート１２に阻まれて外へ飛び出さない。
【００３１】
ここで、もし、フィルタシート１２が透孔１４に密着していたり接近していると、茶葉２０が透孔１４の穴を塞いでしまう恐れがある。ところがこの図に示すように透孔１４とフィルタシート１２との間にサーバキャップ１３の立体構造による空隙１７が存在するので、湯２２がフィルタシート１２を通過して透孔１４の方向に流れる際に、紅茶等は一旦その空隙１７に流れ込んでから、透孔１４を通じて注ぎ出される。こうすると、フィルタの一部が茶葉２０で塞がれても、紅茶等が透孔１４から出にくくなることがない。従って、茶葉２０が湯２２の流れを妨げるということがない。
【００３２】
なお、上記の例では、フィルタシート１２をティーサーバ容器１０の開口よりも充分広いシートとして、サーバキャップ１３を被せるとその周囲に一部がはみ出すようにした。これによりティーサーバ容器１０の開口全体に渡ってフィルタシート１２が存在することを確認できる。また、ティーカップ１１で覆われていない部分の断熱用にもなる。さらに、フィルタシートの周辺に装飾を施すと美感も増す。
【００３３】
図５はフィルタシート１２を取付けたティーサーバ容器１０とサーバキャップ１３の変形例の説明図である。
図５を見てわかるように必ずしもフィルタシート１２はティーサーバ容器１０の開口全部を覆っている必要はない。茶葉２０をせき止めるだけの面積があればよい。従って、例えば、図５（ａ）に示すようにフィルタシート１２はティーサーバ容器１０の開口の半分までのものを固定するようにしてもよい。
【００３４】
また、上記の例ではフィルタシート１２をサーバキャップ１３で固定するようにしたが、図５（ｂ）に示すようにフィルタシート１２をティーサーバ容器１０の開口１６を塞ぐように当該開口１６に、例えば、熱などを用いて予め接着しても構わない。こうすれば、フィルタシート１２とティーサーバ容器１０は完全に一体化し、確実に茶葉を内部に閉じ込めることができる。
【００３５】
また、図５（ｃ）に示すようにフィルタシート１２をサーバキャップ１３の裏側に予め貼り付けておくようにしてもよい。この図に示すように、サーバキャップ１３は２段構造になっている。従って、円形のフィルタシート１２をサーバキャップ１３にはめ込んで接着をすると、図に示すような断面になる。これで空隙を設けフィルタシート１２を固定したサーバキャップ１３ができあがる。これをティーサーバ容器１０に被せるだけで簡単にフィルタシート１２のついたティーサーバセットが完成する。
【００３６】
従って、ティーサーバ容器１０に湯２２を注いだ後の組立作業がすみやかにでき、組み立ての時間が非常に早くなるという効果がある。なお、上記のようなティーサーバセットは、緑茶などにも利用でき、いずれの場合にもティーバックに比べて充分に風味や香りのよいものを提供することが可能になる。従って、従来コーヒーを楽しんでいた顧客が紅茶や緑茶などを利用する機会を増やすことも可能になる。
【００３７】
即ち、本考案によれば、ティーサーバ容器１０とフィルタシート１２とサーバキャップ１３とを組み合わせて、ティーバックではなく本格的な紅茶等を、テークアウトも可能な簡単な構造のセットで提供できる。
【図面の簡単な説明】
【００３８】
【図１】実施例１のティーサーバセットを示す斜視図である。
【図２】同ティーサーバセットを分解した状態の各部品を示す斜視図である。
【図３】同ティーサーバセットの使用例の説明図である。
【図４】図３のＳ６の状態を拡大して具体的に示す説明図である。
【図５】フィルタシートを取付けたティーサーバ容器とサーバキャップの変形例の説明図である。
【符号の説明】
【００３９】
１０  ティーサーバ容器
１１  ティーカップ
１２  フィルタシート
１３  サーバキャップ
１４  透孔
１５  粘着テープ
１６  開口
１７  空隙
２０  茶葉
２１  ポット
２２  湯
【図１】
0003130172.tif 000003
【図２】
0003130172.tif 000004
【図３】
0003130172.tif 000005
【図４】
0003130172.tif 000006
【図５】
0003130172.tif 000007